(57)【特許請求の範囲】
【請求項１】
基礎コンクリートと、該基礎コンクリートに固定された基礎板用アンカーボルトおよび補強板用アンカーボルトと、前記基礎板用アンカーボルトに取り付けられた基礎板と、前記補強板用アンカーボルトに取り付けられた補強板と、を有し、
前記基礎板の側端面と前記補強板の側端面とが密着していることを特徴とするせん断耐力向上構造。
【請求項２】
基礎コンクリートと、該基礎コンクリートに固定された基礎板用アンカーボルトおよび補強板用アンカーボルトと、前記基礎板用アンカーボルトに取り付けられた基礎板と、前記補強板用アンカーボルトに取り付けられた補強板と、を有し、
前記基礎板の側端面と前記補強板の側端面との間にスペーサーが配置され、
前記基礎板の側端面と前記補強板の側端面とが前記スペーサーを介して密着していることを特徴とするせん断耐力向上構造。
【請求項３】
前記基礎板に鉄骨柱が接続され、該鉄骨柱の前記基礎板側の端部に、ブレースの一方の端部が接続されていることを特徴とする請求項１または２記載のせん断耐力向上構造。
【請求項４】
基礎板用アンカーボルトおよび地中梁用鉄筋を配置する工程と、
前記基礎板用アンカーボルトおよび前記地中梁用鉄筋を包囲するコンクリート型枠を組み立てる工程と、
前記コンクリート型枠内に補強板用アンカーボルトを配置する工程と、
前記コンクリート型枠内に基礎コンクリートを打設する工程と、
前記基礎板用アンカーボルトに基礎板を取り付ける工程と、
前記補強板用アンカーボルトに補強板を、該補強板の側端面と前記基礎板の側端面とが密着するように取り付ける工程と、
前記基礎板の下面と前記基礎コンクリートの上面との間、および前記補強板の下面と前記基礎コンクリートの上面との間に、グラウトを充填する工程と、
を有することを特徴とするせん断耐力向上構造の施工方法。
【請求項５】
基礎板用アンカーボルトおよび地中梁用鉄筋を配置する工程と、
前記基礎板用アンカーボルトおよび前記地中梁用鉄筋を包囲するコンクリート型枠を組み立てる工程と、
前記コンクリート型枠内に補強板用アンカーボルトを配置する工程と、
前記コンクリート型枠内に基礎コンクリートを打設する工程と、
前記基礎板用アンカーボルトに基礎板を取り付ける工程と、
前記補強板用アンカーボルトに補強板を取り付ける工程と、
前記基礎板の側端面と前記補強板の側端面との間にスペーサーを、該スペーサーを介して前記基礎板の側端面と前記補強板の側端面とが密着するように設置する工程と、
前記基礎板の下面と前記基礎コンクリートの上面との間、および前記補強板の下面と前記基礎コンクリートの上面との間に、グラウトを充填する工程と、
を有することを特徴とするせん断耐力向上構造の施工方法。
【請求項６】
前記コンクリート型枠内に補強板用アンカーボルトを配置する工程は、前記補強板用アンカーボルトに予めテンプレートを設置しておき、前記テンプレートを前記地中梁用鉄筋または前記基礎板用アンカーボルトの一方または両方に固定するものであり、
前記コンクリート型枠内に基礎コンクリートを打設する工程の後、前記打設したコンクリートが固化したところで、前記テンプレートを撤去する工程を有することを特徴とする請求項４または５記載のせん断耐力向上構造の施工方法。
【発明の詳細な説明】
【技術分野】
【０００１】
本発明はせん断耐力向上構造およびその施工方法、特に、基礎コンクリートに固定され、鉄骨柱が接続されたベースプレートを有するせん断耐力向上構造およびその施工方法に関する。
【背景技術】
【０００２】
従来、鉄骨柱を基礎コンクリートに固定する露出型柱脚工法において、基礎コンクリートに固定されたアンカーボルトと、アンカーボルトが貫通するアンカーボルト貫通孔が形成されたベースプレート（以下「基礎板」と称す）と、が用いられ、基礎板に鉄骨柱が接続されている。このとき、アンカーボルト貫通孔を貫通するアンカーボルトにナットを螺合し、該ナットを締め付けることによって、基礎板をアンカーボルトに固定している。そして、基礎板の下面と基礎コンクリートの上面との間隙にグラウト材を注入して、両者の固定を堅固にしている。
このとき、アンカーボルト貫通孔の内面とアンカーボルトの外面との固着が弱くなるという問題を解消するため、発明者等は鉄骨柱脚部の固定構造を開示している（例えば、特許文献１参照）。
【先行技術文献】
【特許文献】
【０００３】
【特許文献１】特開２０１１−１２４０２号公報（第３−４頁、図５）
【発明の概要】
【発明が解決しようとする課題】
【０００４】
特許文献１に開示された発明は、基礎コンクリートに固定されたアンカーボルトと、該アンカーボルトが貫通するアンカーボルト貫通孔が形成された基礎板（ベースプレートに同じ）と、該基礎板に下端が固定された鉄骨柱と、前記アンカーボルト貫通孔を貫通した状態の前記アンカーボルトに螺合して、前記基礎板を挾持する上ナットおよび下ナットと、前記アンカーボルト貫通孔の内周と、前記アンカーボルトの外周の一部と、前記上ナットおよび下ナットと、によって形成された空間に注入されたグラウト材とを有するものである。
すなわち、アンカーボルト貫通孔の内周と、アンカーボルトの外周の一部と、上ナットおよび下ナットと、によって形成された空間（略円筒状の閉塞空間）に注入されたグラウト材は固化し、その上端および下端が拘束され、前記空間に閉じ込められたままであるから、基礎板に水平方向の荷重が作用した際、アンカーボルトの荷重受け側の面が軸方向に変位しても、アンカーボルトとグラウト材との間に隙間が生じることがなく、グラウト材の変形や崩壊が防止され、アンカーボルト貫通孔の内面とアンカーボルトの外面との固着が維持されるという顕著な作用効果を奏する。
【０００５】
しかしながら、例えば、基礎板に鉄骨柱が接続され、該鉄骨柱の基礎板に近い端部にブレース（筋交い）の一方の端部が設置された場合、ブレースに生じる軸力の水平成分がせん断力とし鉄骨柱脚部に作用する。
そして、鉄骨柱脚部に作用するせん断力に対する抵抗は、主にアンカーボルトのせん断耐力であるため（正確には、基礎コンクリートと基礎板との間の摩擦力も抵抗になっている）、過大なせん断力が作用して、前記せん断力が前記せん断耐力よりも大きい場合には、鉄骨柱脚部はせん断力に耐えられなくなるという問題があった。
【０００６】
本発明は、以上のような問題を解決するものであって、アンカーボルトのせん断耐力よりも大きなせん断力が作用しても、耐えることができるせん断耐力向上構造およびその施工方法を提供することを目的とする。
【課題を解決するための手段】
【０００７】
（１）本発明に係るせん断耐力向上構造は、基礎コンクリートと、該基礎コンクリートに固定された基礎板用アンカーボルトおよび補強板用アンカーボルトと、前記基礎板用アンカーボルトに取り付けられた基礎板と、前記補強板用アンカーボルトに取り付けられた補強板と、を有し、
前記基礎板の側端面と前記補強板の側端面とが密着していることを特徴とする。
（２）また、基礎コンクリートと、該基礎コンクリートに固定された基礎板用アンカーボルトおよび補強板用アンカーボルトと、前記基礎板用アンカーボルトに取り付けられた基礎板と、前記補強板用アンカーボルトに取り付けられた補強板と、を有し、
前記基礎板の側端面と前記補強板の側端面との間にスペーサーが配置され、前記基礎板の側端面と前記補強板の側端面とが前記スペーサーを介して密着していることを特徴とする。
（３）さらに、前記基礎板に鉄骨柱が接続され、該鉄骨柱の前記基礎板側の端部に、ブレースの一方の端部が接続されていることを特徴とする。
【０００８】
（４）本発明に係るせん断耐力向上構造の施工方法は、基礎板用アンカーボルトおよび地中梁用鉄筋を配置する工程と、
前記基礎板用アンカーボルトおよび前記地中梁用鉄筋を包囲するコンクリート型枠を組み立てる工程と、
前記コンクリート型枠内に補強板用アンカーボルトを配置する工程と、
前記コンクリート型枠内に基礎コンクリートを打設する工程と、
前記基礎板用アンカーボルトに基礎板を取り付ける工程と、
前記補強板用アンカーボルトに補強板を、該補強板の側端面と前記基礎板の側端面とが密着するように取り付ける工程と、
前記基礎板の下面と前記基礎コンクリートの上面との間、および前記補強板の下面と前記基礎コンクリートの上面との間に、グラウトを充填する工程と、
を有することを特徴とする。
（５）また、基礎板用アンカーボルトおよび地中梁用鉄筋を配置する工程と、
前記基礎板用アンカーボルトおよび前記地中梁用鉄筋を包囲するコンクリート型枠を組み立てる工程と、
前記コンクリート型枠内に補強板用アンカーボルトを配置する工程と、
前記コンクリート型枠内に基礎コンクリートを打設する工程と、
前記基礎板用アンカーボルトに基礎板を取り付ける工程と、
前記補強板用アンカーボルトに補強板を取り付ける工程と、
前記基礎板の側端面と前記補強板の側端面との間にスペーサーを、該スペーサーを介して前記基礎板の側端面と前記補強板の側端面とが密着するように設置する工程と、
前記基礎板の下面と前記基礎コンクリートの上面との間、および前記補強板の下面と前記基礎コンクリートの上面との間に、グラウトを充填する工程と、
を有することを特徴とする。
（６）さらに、前記コンクリート型枠内に補強板用アンカーボルトを配置する工程は、前記補強板用アンカーボルトに予めテンプレートを設置しておき、前記テンプレートを前記地中梁用鉄筋または前記基礎板用アンカーボルトの一方または両方に固定するものであり、
前記コンクリート型枠内に基礎コンクリートを打設する工程の後、前記打設したコンクリートが固化したところで、前記テンプレートを撤去する工程を有することを特徴とする。
【発明の効果】
【０００９】
（ｉ）本発明に係るせん断耐力向上構造は、基礎コンクリートに固定された基礎板用アンカーボルトに取り付けられた基礎板（ベースプレートに同じ）の側端面と、基礎コンクリートに固定された補強板用アンカーボルトに取り付けられた補強板の側端面とが密着しているから、基礎板に作用するせん断力（水平方向の力）は、基礎板用アンカーボルトに伝達されると共に、補強板に伝達され、補強板を経由して補強板用アンカーボルトにも伝達される。
したがって、 せん断耐力向上構造は、作用するせん断力に対する抵抗が、基礎板用アンカーボルトのせん断耐力と補強板用アンカーボルトのせん断耐力との合計になるため、基礎板用アンカーボルトのせん断耐力よりも大きなせん断力が作用しても、耐えることができる。
（ｉｉ）また、基礎板の側端面と補強板の側端面とがスペーサーを介して密着しているから、前記（ｉ）に記載の効果を得ることができる。このとき、スペーサーの大きさやスペーサー設置のタイミングは、適宜選定することができるから、設計および施工が容易になる。
（ｉｉｉ）さらに、基礎板に接続された鉄骨柱の基礎板側の端部に、ブレースの一方の端部が接続され、ブレースに生じる軸力の水平成分がせん断力としてせん断耐力向上構造に作用するものの、作用するせん断力に対する抵抗が、基礎板用アンカーボルトのせん断耐力と補強板用アンカーボルトのせん断耐力との合計になるため、基礎板用アンカーボルトのせん断耐力よりも大きなせん断力が作用しても、耐えることができる。
【００１０】
（ｉｖ）本発明に係るせん断耐力向上構造の施工方法は、基礎板用アンカーボルト、地中梁用鉄筋および補強板用アンカーボルトが配置されているコンクリート型枠内に基礎コンクリートを打設する工程と、打設したコンクリートが固化した後、基礎板用アンカーボルトに基礎板を取り付ける工程と、補強板用アンカーボルトに補強板を取り付ける工程とを有するから、特別な施工工程を必要とすることなく、基礎板の側端面と補強板の側端面とを密着させることができ、前記（ｉ）の効果を得ることができる。
（ｖ）また、基礎板の側端面と補強板用の側端面との間にスペーサーを設置する工程を有するから、基礎板用アンカーボルトおよび補強板用アンカーボルトの配置の自由度が増し、設計が容易になると共に、基礎板の側端面と補強板の側端面とを力学的に（力の伝達可能に）密着させる作業が容易になる。
（ｖｉ）予めテンプレートが設置されている補強板用アンカーボルトを地中梁用鉄筋または基礎板用アンカーボルトの一方または両方に固定するから、施工が容易になると共に、施工精度が向上し、基礎板の側端面と補強板の側端面との密着（あるいは、スペーサーを介しての密着）が確実になる。
【図面の簡単な説明】
【００１１】
【図１】本発明の実施の形態１に係るせん断耐力向上構造を説明するものであって、一部を透視した正面図。
【図２】本発明の実施の形態１に係るせん断耐力向上構造を説明するものであって、一部を透視した背面図。
【図３】本発明の実施の形態１に係るせん断耐力向上構造を説明するものであって、一部を透視した平面図。
【図４】本発明の実施の形態２に係るせん断耐力向上構造の施工方法を説明するフローチャート。
【発明を実施するための形態】
【００１２】
［実施の形態１］
図１〜図３は本発明の実施の形態１に係るせん断耐力向上構造を説明するものであって、図１は一部を透視した正面図、図２は一部を透視した背面図。図３は一部を透視した平面図である。なお、各図は模式的に描いたものであって、本発明は描かれた形態に限定されるものではない。
【００１３】
図１〜図３において、せん断耐力向上構造１００は、基礎コンクリート９０と、基礎コンクリート９０に固定された基礎板用アンカーボルト１３ａ〜１３ｈ、左補強板用アンカーボルト２３ａ〜２３ｆ、および右補強板用アンカーボルト３３ａ〜３３ｈとを有している。
そして、基礎板用アンカーボルト１３ａ〜１３ｈによって基礎コンクリート９０に基礎板（ベースプレートに同じ）１０が設置され、左補強板用アンカーボルト２３ａ〜２３ｆに第１補強板（以下「左補強板」と称す）２０が取り付けられ、右補強板用アンカーボルト３３ａ〜３３ｈに第２補強板（以下「右補強板」と称す）３０が取り付けられている。
【００１４】
また、基礎板１０の左側の側端面と左補強板２０の右側の側端面とに接する左スペーサー６２と、基礎板１０の右側の側端面と右補強板３０の左側の側端面とに接する右スペーサー６３とが、それぞれ配置されている。
したがって、基礎板１０と左補強板２０とは、左スペーサー６２を介して互いに力を伝達可能に繋がっている。また、基礎板１０と右補強板３０とは、右スペーサー６３を介して互いに力を伝達可能に繋がっている。
そして、基礎板１０には鉄骨柱４０が接続され、鉄骨柱４０の下端部側面に設置されたガセットプレート４５に、ブレース５０の下端部が設置されている。
さらに、基礎コンクリート９０と基礎板１０、左補強板２０、右補強板３０との間には、基礎板グラウト９１、左補強板グラウト９２、右補強板グラウト９３がそれぞれ充填され、基礎コンクリート９０内には、複数の地中梁用鉄筋８０が配置されている。
なお、以下の説明の便宜上、同じ構成である部材または部位については、符号の添え字「ａ、ｂ、・・・」の記載を省略する。
【００１５】
近接した一対の基礎板用アンカーボルト１３は、下端部に近い位置（基礎コンクリート９０内）において連結されている。すなわち、近接した一対の基礎板用アンカーボルト１３は、定着用連結板１５に形成された貫通孔（図示しない）を貫通し、基礎板用アンカーボルト１３に螺合した定着用上ナット１４と定着用下ナット１６とが定着用連結板１５を挟圧している。例えば、基礎板用アンカーボルト１３ａと基礎板用アンカーボルト１３ｂとは、定着用連結板１５ａに形成された貫通孔（図示しない）を貫通し、基礎板用アンカーボルト１３ａに螺合した定着用上ナット１４ａおよび定着用下ナット１６ａと、基礎板用アンカーボルト１３ｂに螺合した定着用上ナット１４ｂおよび定着用下ナット１６ｂとが、定着用連結板１５ａを挟圧している。
【００１６】
また、基礎板用アンカーボルト１３の上端部に近い範囲は、基礎板１０に形成された図示しない貫通孔を貫通し、当該範囲に上ナット１１および下ナット１２が螺合している。下ナット１２は基礎板１０を支持し、上ナット１１は基礎板１０を下方に押し付けている。このとき、下ナット１２は基礎板グラウト９１内に埋まっている。
例えば、基礎板用アンカーボルト１３ａの上端部に近い範囲は、基礎板１０に形成された図示しない貫通孔を貫通し、基礎板用アンカーボルト１３ａに螺合した上ナット１１ａおよび下ナット１２ｂが基礎板１０を挟圧している。
【００１７】
左補強板用アンカーボルト２３は、下端部に近い位置（基礎コンクリート９０内）に定着用ナット２４が螺合し、上端部に近い範囲は左補強板２０に形成された図示しない貫通孔を貫通し、当該範囲に、上ナット２１および下ナット２２が螺合している。下ナット２２は左補強板２０を支持し、上ナット２１は左補強板２０を下方に押し付けている。このとき、下ナット２２は左補強板グラウト９２内に埋まっている。
例えば、左補強板用アンカーボルト２３ａの下端部に定着用ナット２４ａが螺合し、上端部が左補強板２０に形成された貫通孔を貫通し、左補強板用アンカーボルト２３ａの上端部に螺合する上ナット２１ａおよび下ナット２２ｂが左補強板２０を挟圧している。
同様に、右補強板用アンカーボルト３３は、下端部に近い位置（基礎コンクリート９０内）に定着用ナット３４が螺合し、上端部に近い範囲は右補強板３０に形成された図示しない貫通孔を貫通し、当該範囲に、上ナット３１および下ナット３２が螺合している。下ナット３２は右補強板３０を支持し、上ナット３１は右補強板３０を下方に押し付けている。このとき、下ナット３２は右補強板グラウト９３内に埋まっている。
例えば、右補強板用アンカーボルト３３ａの下端部に定着用ナット３４ａが螺合し、上端部が右補強板３０に形成された貫通孔を貫通し、右補強板用アンカーボルト３３ａの上端部に螺合する上ナット３１ａおよび下ナット３２ｂが右補強板３０を挟圧している。
【００１８】
したがって、せん断耐力向上構造１００は、ブレース５０に引張力が作用した際に、基礎板１０に作用するせん断力（水平方向の力）は、基礎板用アンカーボルト１３に作用すると共に、右スペーサー６３を介して右補強板３０に伝達され、右補強板用アンカーボルト３３に作用する。一方、ブレース５０に圧縮力が作用した際に、基礎板１０に作用するせん断力（水平方向の力）は、基礎板用アンカーボルト１３に作用すると共に、左スペーサー６２を介して左補強板２０に伝達され、左補強板用アンカーボルト２３に作用する。
よって、せん断耐力向上構造１００は、作用するせん断力に対する抵抗が、基礎板用アンカーボルト１３のせん断耐力と、左補強板用アンカーボルト２３のせん断耐力または右補強板用アンカーボルト３３のせん断耐力との合計になるため、基礎板用アンカーボルト１３のせん断耐力よりも大きなせん断力が作用しても、耐えることができる。
【００１９】
なお、以上は、右スペーサー６３および左スペーサー６２が設置されているが、本発明はこれに限定するものではなく、基礎板１０の左側の側端面と左補強板２０の右側の側端面とが直接密着し、基礎板１０の右側の側端面と右補強板３０の左側の側端面とが直接密着するようにしてもよい。
また、基礎板用アンカーボルト１３、左補強板用アンカーボルト２３および右補強板用アンカーボルト３３の数量や配置形態は限定するものではない。さらに、鉄骨柱４０の一方の面（図１において右側の面）のみにガセットプレート４５が設置されているが、本発明はこれに限定するものではなく、対向する他方の面（図１において左側の面）にもガセットプレート４５を設置して、鉄骨柱４０に一対のブレース５０が接続されるようにしてもよい。
【００２０】
［実施の形態２］
図４は本発明の実施の形態２に係るせん断耐力向上構造の施工方法を説明するフローチャートである。なお、実施の形態１と同じ部分にはこれと同じ符号を付し、一部の説明を省略する。
図４において、せん断耐力向上構造の施工方法は以下の工程を有する。
まず、地盤（傾斜面）に形成された凹部に、基礎板用アンカーボルト１３および地中梁用鉄筋８０を配置し（Ｓ１）、基礎板用アンカーボルト１３および地中梁用鉄筋８０を包囲するコンクリート型枠を組み立てる（Ｓ２）。そして、コンクリート型枠内に左補強板用アンカーボルト２３および右補強板用アンカーボルト３３を配置する（Ｓ３）。このとき、定着用連結板１５に形成された一対の貫通孔に、近接した一対の基礎板用アンカーボルト１３の下端部を差し込み、基礎板用アンカーボルト１３に螺合した定着用上ナット１４および定着用下ナット１６でもって、定着用連結板１５を挟圧する。
【００２１】
次に、コンクリート型枠内に基礎コンクリート９０を打設する（Ｓ４）。そして、基礎コンクリート９０が固化したところで、基礎板用アンカーボルト１３に基礎板１０を取り付ける（Ｓ５）。このとき、基礎板用アンカーボルト１３に螺合した下ナット１２の位置を所定の位置にして、基礎板１０を下ナット１２によって支持し、さらに、基礎板用アンカーボルト１３に螺合した上ナット１１を締め込んで、基礎板１０を挟圧する。なお、基礎コンクリート９０の上面に位置決め用のグラウトを設置し、基礎板１０を当該グラウトによって支持してもよい。
さらに、左補強板用アンカーボルト２３および右補強板用アンカーボルト３３に、左補強板２０および右補強板３０をそれぞれ取り付ける（Ｓ６）。このとき、基礎板１０と同様に、上ナット２１および下ナット２２によって左補強板２０を挟圧し、上ナット３１および下ナット３２によって右補強板３０を挟圧する。
【００２２】
そして、基礎板１０の左側の側端面と左補強板２０の右側の側端面との間に左スペーサー６２を設置する（Ｓ７）。このとき、左スペーサー６２は基礎板１０と左補強板２０とによって挟圧された状態になっている。同様に、基礎板１０の右側の側端面と右補強板３０の左側の側端面との間に右スペーサー６３を設置する（Ｓ７）。
なお、以上は、左補強板用アンカーボルト２３および右補強板用アンカーボルト３３に、左補強板２０および右補強板３０をそれぞれ設置した後、左スペーサー６２および右スペーサー６３を設置しているが、本発明はこれに限定するものではなく、左スペーサー６２および右スペーサー６３を配置した状態で、左補強板用アンカーボルト２３および右補強板用アンカーボルト３３に、左補強板２０および右補強板３０をそれぞれ設置してもよい。
さらに、基礎コンクリート９０の上面と基礎板１０の下面との間に基礎板グラウト９１を、基礎コンクリート９０の上面と左補強板２０の下面との間に左補強板グラウト９２を、基礎コンクリート９０の上面と右補強板３０の下面との間に右補強板グラウト９３を、それぞれ充填する（Ｓ８）。
したがって、基礎板１０の下ナット１２は基礎板グラウト９１内に、左補強板２０の下ナット２２は左補強板グラウト９２内に、右補強板３０の下ナット３２は右補強板グラウト９３内に、それぞれ埋め込まれる。
【００２３】
なお、以上は、左スペーサー６２および右スペーサー６３を設置しているが、本発明はこれに限定するものではなく、基礎板１０の左側の側端面と左補強板２０の右側の側端面とが直接密着するようにしてもよいし、基礎板１０の右側の側端面と右補強板３０の左側の側端面とが直接密着するようにしてもよい。
さらに、コンクリート型枠内に補強板用アンカーボルトを配置する工程（Ｓ３）は、左補強板用アンカーボルト２３および右補強板用アンカーボルト３３のそれぞれに、予めテンプレート（図示しない）を設置しておき、テンプレートを地中梁用鉄筋８０または基礎板用アンカーボルト１３の一方または両方に固定するようにしてもよい。このとき、基礎コンクリート９０を打設する工程（Ｓ４）の後、打設した基礎コンクリート９０が固化したところで、テンプレートを撤去する。
【００２４】
以上のように、せん断耐力向上構造の施工方法は、前記工程Ｓ１〜Ｓ８を有するから、せん断耐力向上構造１００を確実に形成することができる。
また、左スペーサー６２および右スペーサー６３を設置する工程を有するから、基礎板用アンカーボルト１３、左補強板用アンカーボルト２３および右補強板用アンカーボルト３３の配置の自由度が増し、設計が容易になると共に、基礎板１０の側端面と左補強板２０の側端面とを力学的に（力の伝達可能に）密着させる作業、および基礎板１０の側端面と右補強板３０の側端面とを力学的に（力の伝達可能に）密着させる作業が容易になる。
さらに、左テンプレートおよび右テンプレートを用いると、施工が容易になると共に、施工精度が向上し、基礎板１０の側端面と左補強板２０の側端面との密着（あるいは、左スペーサー６２を介しての密着）、および基礎板１０の側端面と右補強板３０の側端面との密着（あるいは、右スペーサー６３を介しての密着）が確実になる。
【産業上の利用可能性】
【００２５】
本発明に係るせん断耐力向上構造およびその施工方法は、基礎板（ベースプレート）に作用するせん断力の一部を補強板が分担することによって、大きなせん断力に耐える構造を提供するから、各種建築構造物を支持する基礎構造および基礎工法として広く利用することができる。
【符号の説明】
【００２６】
１０  ：基礎板
１１ａ〜１１ｈ：上ナット
１２ａ〜１２ｈ：下ナット
１３ａ〜１３ｈ：基礎板用アンカーボルト
１４ａ〜１４ｈ：定着用上ナット
１５ａ：定着用連結板
１５ｄ：定着用連結板
１５ｅ：定着用連結板
１５ｈ：定着用連結板
１６ａ〜１６ｈ：定着用下ナット
２０  ：左補強板
２１ａ〜２１ｆ：上ナット
２２ａ〜２２ｆ：下ナット
２３ａ〜２３ｆ：左補強板用アンカーボルト
２４ａ〜２４ｆ：定着用ナット
３０  ：右補強板
３１ａ〜３１ｈ：上ナット
３２ａ〜３２ｈ：下ナット
３３ａ〜３３ｈ：右補強板用アンカーボルト
３４ａ〜３４ｈ：定着用ナット
４０  ：鉄骨柱
４５  ：ガセットプレート
５０  ：ブレース
６２  ：左スペーサー
６３  ：右スペーサー
８０  ：地中梁用鉄筋
９０  ：基礎コンクリート
９１  ：基礎板グラウト
９２  ：左補強板グラウト
９３  ：右補強板グラウト
１００：せん断耐力向上構造
【図１】
0006263145.tif 000002
【図２】
0006263145.tif 000003
【図３】
0006263145.tif 000004
【図４】
0006263145.tif 000005